(57)【特許請求の範囲】
【請求項１】
筒状のガイドステムを天井部から立設させて容器本体の口首部に装着されるベースキャップ部と、前記ガイドステムに挿入される中空パイプと収容液を吐出する吐出口を有し、且つ前記ガイドステムの外周面と隙間を保持しつつ該外周面に沿って往復動するスカート状カバーを有するヘッド部と、前記容器本体内側に配置される空気室及び液導入室からなるシリンダ部と、液導入室の内周面を摺動するピストン部材及び該ピストン部材と連動して前記空気室の内周面を摺動するエアピストン部材とを備え、前記ヘッド部の押圧により前記空気室及び前記液導入室から混合室に空気と内容液を圧送して混合させ、前記吐出口から泡として吐出させる泡吐出器であって、
前記ヘッド部の押圧を解除して前記空気室が負圧になった際に、前記ガイドステムの外周面と前記スカート状カバーとの間の隙間を介して前記空気室に外気が取り込まれ、
前記ヘッド部の非押圧静止状態で、前記ガイドステムの外周面と前記スカート状カバーとの間の隙間から前記エアピストン部材の上方に至る外気取り込み経路に、内側環状壁面と外側環状壁面との対向面によって第１及び第２微小間隙部を形成し、
且つ該第１及び第２微小間隙部は、前記ヘッド部の押圧が解除された際に前記シリンダ部に対して前記エアピストン部材が戻りきらない場合でも、押圧方向における前記対向面の重なり幅を確保できる領域に前記内側環状壁面及び前記外側環状壁面が形成されており、
前記第１微小間隙部の前記内側環状壁面は、前記ガイドステムの上端部外周面によって形成され、前記第１微小間隙部の前記外側環状壁面は、前記スカート状カバーの下端部内周面によって形成されており、
前記第２微小間隙部の前記内側環状壁面は、前記エアピストン部材の肩部外周面によって形成され、前記第２微小間隙部の前記外側環状壁面は、前記ベースキャップ部の天井部の内側面から下方に突出して設けられた環状リブの下端部内周面によって形成されている泡吐出器。
【請求項２】
製造後、使用前における前記内側環状壁面及び前記外側環状壁面による前記対向面の押圧方向の重なり幅が２ｍｍ以上となっている請求項１記載の泡吐出器。
【発明の詳細な説明】
【技術分野】
【０００１】
本発明は、泡吐出器に関し、特に、容器本体の口首部に取り付けて用いられ、収容された収容液を空気と混合することにより泡状にして吐出する泡吐出器に関する。
【背景技術】
【０００２】
例えば液状の洗浄剤や毛髪剤等を収容し、容器を置いたままの状態でヘッド部を押圧操作することにより、内容液を泡状にして吐出させるポンプフォーマー容器等の泡吐出容器が種々開発されている。このような泡吐出容器では、容器本体の口首部に、内容液を空気と混合することにより泡状にして吐出する泡吐出器が装着されている。泡吐出器は、例えば容器本体の口首部に装着されるベースキャップ部に、内容液の吸引、加圧、排出を行うピストンと、空気の吸引、加圧、排出を行うピストンをそれぞれ同心に配置して組み入れた単一のシリンダ部からなるポンプが設けられており、ベースキャップ部の上方に突出するヘッド部の押し込みによりポンプの各ピストンを作動させ、シリンダ部内に吸引された内容液と空気のそれぞれを、加圧して合流空間に圧送して相互に混合し、メッシュリング等の泡生成部材を通過させることで泡状の内容液を外部に吐出させる構造となっている（例えば、特許文献１参照）。
【０００３】
また、ポンプフォーマー容器等の泡吐出容器は、例えば浴室や洗面台等の水周りで使用される機会が多いため、水に濡れることが多い。特に浴室においては、シャワー等の水が容器に直接かかる場合がある。また、洗い場等で桶等に倒れて水に濡れる場合もある。さらに、ヘッド部は、濡れた手で押すことが多いため、ヘッド部の周囲は水に濡れる機会が多い。泡吐出器は、ヘッド部を押圧して内容液を泡状に吐出した後にこれの押圧を解除した際に、ヘッド部が上方に戻されるのに伴って、シリンダ部の内部が負圧になり、ヘッド部の高さ方向に延びる縦方向流路を形成する中空パイプとベースキャップ部のガイドステムとの間の空間を介して、シリンダ部内の空気室に外気を吸引する。空気室に外気を吸引する際に、外気と共にヘッド部やベースキャップ部の周囲の水が吸引されることが多い。
【０００４】
このようなことから、ヘッド部の中空パイプとベースキャップ部のガイドステムとの間の空間から、水が浸入しないように工夫した泡吐出容器が種々開発されている（例えば、特許文献２、特許文献３参照）。特許文献２や特許文献３に記載の泡吐出容器では、ヘッド部の中空パイプの外側に、ガイドステムの外周面に沿って往復動するスカート状カバーを設けて中空パイプとガイドステムとの間の空間を覆い、空気室への水の浸入を防止するようになっている。また、特許文献２や特許文献３に記載の泡吐出容器では、ヘッド部の押圧操作をしていない状態で、泡吐出容器が転倒したり水の中に沈められた場合でも、ガイドステムの外周面とスカート状カバーの内周面との間の隙間を経てヘッド部の内部に水が浸入しないように、ガイドステムの最上端外面と、スカート状カバーの最下端内面のそれぞれに、ヘッド部の初期姿勢において互いに近接して水を通過させない極僅かな微小隙間を形成する環状凸部を設けることにより、ヘッド部の中空パイプとベースキャップ部のガイドステムとの間の空間への水の浸入を入口部分で遮断するようになっている。
【特許文献１】特開平７−３１５４６３号公報
【特許文献２】特開２００５−１９３９７２号公報
【特許文献３】特開２００４−１２１８９８号公報
【発明の開示】
【発明が解決しようとする課題】
【０００５】
しかしながら、ヘッド部の押圧操作をしていない状態で、ガイドステムとスカート状カバーとの間の隙間からの水の浸入を防止するようにした従来の泡吐出容器では、スカート状カバーは、ヘッド部の押圧操作によってピストン部材と共に一体となって上下動するため、繰り返し押圧操作が行われると、押圧状態を開放しても、ガイドステムの最上端外面の環状凸部の先端と、スカート状カバーの最下端内面の環状凸部の先端とが対向する初期の状態まで復元されず、環状凸部の間に大きな隙間が生じて、ヘッド部の内部に水が浸入し易くなることがある。すなわち、例えばシリンダ部の内周面には、ピストン部の摺動をスムーズに行わせるためのシリコン等の滑剤が塗布されているが、押圧操作の繰り返しによって、滑剤が減少したり、ヘッド部を上方向に付勢している弾性部材とヘッド部の押圧操作により上下する部材と他の部材の摩擦抵抗とのバランス等により、押圧状態を開放してもピストン部が上がりきらなくなって、環状凸部の間に大きな隙間が残り易くなる。
【０００６】
本発明は、ヘッド部の押圧が解除された際にシリンダ部に対してエアピストン部材が戻りきらなくなった場合でも、ヘッド部の内部に水が浸入してシリンダ部におけるエアピストン部材の上方に相当量の水が滞留するのを効果的に回避することのできる泡吐出器を提供することを目的とする。
【課題を解決するための手段】
【０００７】
本発明は、筒状のガイドステムを天井部から立設させて容器本体の口首部に装着されるベースキャップ部と、前記ガイドステムに挿入される中空パイプと収容液を吐出する吐出口を有し、且つ前記ガイドステムの外周面と隙間を保持しつつ該外周面に沿って往復動するスカート状カバーを有するヘッド部と、前記容器本体内側に配置される空気室及び液導入室からなるシリンダ部と、液導入室の内周面を摺動するピストン部材及び該ピストン部材と連動して前記空気室の内周面を摺動するエアピストン部材とを備え、前記ヘッド部の押圧により前記空気室及び前記液導入室から混合室に空気と内容液を圧送して混合させ、前記吐出口から泡として吐出させる泡吐出器であって、前記ヘッド部の押圧を解除して前記空気室が負圧になった際に、前記ガイドステムの外周面と前記スカート状カバーとの間の隙間を介して前記空気室に外気が取り込まれ、前記ヘッド部の非押圧静止状態で、前記ガイドステムの外周面と前記スカート状カバーとの間の隙間から前記エアピストン部材の上方に至る外気取り込み経路に、内側環状壁面と外側環状壁面との対向面によって微小間隙部を形成し、且つ該微小間隙部は、前記ヘッド部の押圧が解除された際に前記シリンダ部に対して前記エアピストン部材が戻りきらない場合でも、押圧方向における前記対向面の重なり幅を確保できる領域に前記内側環状壁面及び前記外側環状壁面が形成されている泡吐出器を提供することにより、上記目的を達成したものである。
【発明の効果】
【０００８】
本発明の泡吐出器によれば、ヘッド部の押圧が解除された際にシリンダ部に対してエアピストン部材が戻りきらなくなった場合でも、ヘッド部の内部に水が浸入してシリンダ部におけるエアピストン部材の上方に相当量の水が滞留するのを効果的に回避することができる。
【発明を実施するための最良の形態】
【０００９】
本発明の好ましい一実施形態に係る泡吐出器１０は、いわゆるポンプフォーマー容器に取り付けて用いるポンプフォーマーであって、図１に示すように、従来のポンプフォーマーと同様に、容器本体１１の口首部１２に装着されて、内容液を空気と混合することにより泡状にして吐出する機能を備えている。すなわち、泡吐出器１０は、容器本体１１の口首部１２に装着されるベースキャップ部１４に取り付けられ、内容液の吸引、加圧、排出を行うピストン部材１５と、空気の吸引、加圧、排出を行うエアピストン部材１６とをそれぞれ同心に配置にして組み入れた単一のシリンダ部１７を備えるポンプ１８を有している。そして、泡吐出器１０は、ベースキャップ部１４の上方に位置するヘッド部１９の押し込みによりポンプ１８のピストン部材１５とエアピストン部材１６とを作動させ、内容液と空気をそれぞれシリンダ部１７内で吸引、加圧してポンプ出側の合流空間で相互に混合させ、メッシュ部材等の泡生成部材２０を通過させ、泡状にして吐出口２６から外部に吐出させる。
【００１０】
また、本実施形態では、シリンダ部１７は、容器本体１１の口首部１２の内側に配置される大径の空気室２４及び小径の液導入室２８からなる。空気室２４には、シリンダ部１７を成形する際の金型からの抜き易さ等から、上方に向けて内径が極僅かに拡がる内周面が形成される。空気室２４は、空気室２４の上端部に設けた嵌合凹部５０をベースキャップ部１４の天井部１４ａの内側面から下方に突出して設けた嵌合環状凸リブ５１に嵌め込んで、ベースキャップ部１４の内側に装着される。このため、シリンダ部１７の空気室２４は、嵌合凹部５０の嵌合環状凸リブ５１への嵌め込みによって内側に締め付けられ、その上端部の内径が僅かに狭められる。これによって、ヘッド部１９の押圧操作で押圧が解除された際に、空気室２４の内周面に沿って上下に摺動するエアピストン部材１６が、ポンプフォーマー容器の製造後、使用前の初期の状態まで戻らない（上がりきらない）場合がある。空気室２４の内周面にシリコン等の滑剤を塗布して空気室２４の上端までのエアピストン部材１６の移動をスムーズに行わせる工夫がなされるが、押圧操作の繰り返しによって滑剤が減少すること等により、押圧状態を開放してもエアピストン部材１６が空気室２４の上端（使用前の初期の状態）まで上がりきらなくなる場合がある。
【００１１】
本実施形態の泡吐出器１０は、ヘッド部１９の押圧操作が繰り返し行われて、ポンプフォーマー容器の製造後、使用前の初期の状態までシリンダ部１７に対してエアピストン部材１６が戻りきらなくなった場合でも、ヘッド部１９の内部に水が浸入してシリンダ部１７におけるエアピストン部材１６の上方に相当量の水が滞留するのを回避できるようにするために採用されたものである。
【００１２】
そして、本実施形態の泡吐出器１０は、筒状のガイドステム２３を天井部１４ａから立設させて容器本体１１の口首部１２に装着されるベースキャップ部１４と、ガイドステム２３に挿入される中空パイプ２２と収容液を吐出する吐出口２６を有し、且つガイドステム２３の外周面との間に間隔を保持しつつ当該外周面に沿って押圧方向Ｘに往復動するスカート状カバー２５を備えるヘッド部１９と、容器本体１１の内側に配置される空気室２４及び液導入室２８からなるシリンダ部１７と、液導入室２８の内周面を摺動するピストン部材１５及びこのピストン部材１５と連動して空気室２４の内周面を摺動するエアピストン部材１５とを備え、ヘッド部１９の押圧により空気室２４及び液導入室２８から混合室１３に空気と内容液を圧送して混合させ、混合室１３から吐出口２６に至る流路２１に設けた泡生成部材２０により泡として吐出させるようになっている。
【００１３】
また、ヘッド部１９の押圧を解除して空気室２４が負圧になった際に、ガイドステム２３の外周面とスカート状カバー２５との間に隙間を介して空気室２４に外気がとり込まれる。一方、ガイドステム２３の外周面とスカート状カバー２５との間の隙間からエアピストン部材１５の上方に至る外気取り込み経路には、対向する内側環状壁面５２，５５と外側環状壁面５３、５６との間に微小間隙部５４、５７を形成している。この微小間隙部５４、５７は、水を通過させない程度の隙間をもって形成されている。さらに、微小間隙部５４，５７は、ヘッド部１９の押圧操作が繰り返されて、押圧が解除された際に、シリンダ部１７に対してエアピストン部材１５が初期の状態まで戻りきらなくなった場合でも、押圧方向Ｘにおける対向面の重なり幅ｂを確保できるように内側環状壁面５２，５５及び外側環状壁面５３，５６が形成されている（図２，図３参照）。
【００１４】
本実施形態の泡吐出器１０では、ヘッド部１９は、中空パイプ２２の下端部に連結された筒状のピストン部材１５を介在させて、シリンダ部１７の液導入室２８に設けられたスプリング部材２９の作用によって上方に付勢されている。スプリング部材２９の付勢力に抗してヘッド部１９を下方に押し下げることにより、ポンプ１８のピストン部材１５及びエアピストン部材１６が押し下げられると共に、液室３０からの液圧によってボール弁３１ａが上方に移動し第１流路３２が開放される。従って、ヘッド部１９を押し下げることによって、筒状ピストン部材１５の内部に形成された液室３０から、内容液が中空パイプ２２内の発泡流路２１に向けて圧送され、排出される。また筒状のピストン部材１５とエアピストン部材１６との近接部分及び中空パイプ２２と筒状ピストン部材１５との連結部分に形成された空気流路としての第２流路３３を、閉塞部３６を開放することにより流通可能として、大径空気室２４の空気を中空パイプ２２内の発泡流路２１に向けて圧送し、排出する。発泡流路２１に向けて排出された収容液と空気は、混合室１３において加圧混合され、混合室１３の吐出口２６の側に設けられた泡生成部材２０を通過し、発泡した収容液がヘッド部１９の吐出口２６から吐出される。
【００１５】
一方、ヘッド部１９の押圧を解除すれば、スプリング部材２９の付勢力によってヘッド部１９が上方に押し戻され、ピストン部材１５及びエアピストン部材１６が連動して押し戻されると共に、ボール弁３１ａが下方に引き寄せられ、第１流路３２が閉塞して内容液の排出が遮断される。また、ボール弁３１ａの閉塞によってピストン部材１５の内部の液室３０が負圧になるので、ポペット弁３１ｂが上方に移動することにより導入流路が開放されて、容器本体１１内の収容液が吸引管２７及び液導入室２８を介して液室３０に吸引供給される。さらに、エアピストン部材１６の上昇により、空気室２４が負圧になって吸引力を生じ、この吸引力によって、エアピストン部材１６に設けられた逆止弁３５が開放され、エアピストン部材１６に形成された連通路３４を介して、中空パイプ２２とガイドステム２３との間の空間を通過した外気が空気室２４に取り込まれる。さらにまた、ヘッド部１９の上昇に伴うピストン部材１５とエアピストン部材１６の上昇により、閉塞部３６が閉塞されて、第２流路３３を介した空気の流通が略遮断される。
【００１６】
また、本実施形態では、泡吐出器１０は、ヘッド部１９の中空パイプ２２の外側に、これと同心状に配置されて、スカート状カバー２５がガイドステム２３の外周面に沿って押圧方向Ｘにスライド移動可能に設けられている。スカート状カバー２５によって中空パイプ２２とガイドステム２３との間の空間を覆うことにより、ヘッド部１９の押圧を解除し、ガイドステム２３の外周面とスカート状カバー２５の内周面との間の隙間を介して外気を吸引させて、中空パイプ２２とガイドステム２３との間の空間から、負圧になった空気室２４に外気を取り込む（吸入する）際に、外気と共にヘッド部１９やベースキャップ部１４の周囲の水が空気室２４に流入するのをある程度防止できるようになっている。
【００１７】
さらに、本実施形態では、ヘッド部１９を押圧操作する際の優れた操作性を確保するために、シリンダ部１７の液導入室２８に設けられたスプリング部材２９のバネ定数ｋは０．５５〜０．７５Ｎ／ｍｍとなっており、これによってヘッド部１９を押圧操作する際のセット荷重は５〜２０Ｎとなっている。
【００１８】
そして、本実施形態では、ヘッド部１９の押圧操作をしていない状態で、ポンプフォーマー容器が転倒したり水の中に沈められた場合でも、ガイドステム２３の外周面とスカート状カバー２５の内周面との間の隙間を経てヘッド部１９の内部に水が浸入しないようにするための第１非押圧時防水機構としての第１微小間隙部５４が、図２に示すように、非押圧静止状態（押圧される前の状態、或いは押圧されたヘッド部が戻されて上方で静止した状態）のポンプヘッド部１９の下端部分に形成される。すなわち、第１微小間隙部５４は、ガイドステムの上端部外周に形成された内側環状壁面５２と、スカート状カバー２５の下端部内周に形成された外側環状壁面５３とにより構成される。内側環状壁面５２は、ガイドステム２３の上端部外周から外側に突出する環状凸リブ５８の先端を、例えばヘッド部１９の押圧方向Ｘと平行な面として形成することにより、２ｍｍ以上の幅の円環状の壁面として形成される。外側環状壁面５３は、スカート状カバー２５の下端部分に嵌合装着した嵌め込みリング５９の下端内周から内側に突出する環状凸リブ６０の先端を、例えばヘッド部１９の押圧方向Ｘと平行な面として形成することにより、２ｍｍ以上の幅の円環状の壁面として形成される。
【００１９】
本実施形態では、内側環状壁面５２と外側環状壁面５３とが対向して配置され、この対向面の間隙である第１微小間隙部５４は、水を通過させない微小な幅ｓで形成され、幅ｓは複数製造品の平均が１００μｍであって、好ましくは５０〜４００μｍ程度に形成される。さらに、ポンプフォーマー容器の製造後、使用前の初期の状態において、内側環状壁面５２と外側環状壁面５３との対向面の押圧方向Ｘの重なり幅ｂが１．５〜３ｍｍ、好ましくは２ｍｍ以上となるように設けられる。
【００２０】
また、本実施形態では、ヘッド部１９の押圧操作をしていない状態で、例えばポンプフォーマー容器が長時間水の中に沈められて、ヘッド部１９の内部に水が浸入した場合でも、シリンダ部１７におけるエアピストン部材１６の上方に相当量の水が滞留するのを回避できるようにするための第２非押圧時防水機構としての第２微小間隙部５７が、図３に示すように、非押圧静止状態のエアピストン部材１６の肩部６１に形成されている。すなわち、本実施形態では、エアピストン部材１６は、ピストン部材１５との近接筒部から径方向外側に向けて、２箇所の肩部６１，６２を介して階段状に２段に下がった形状を備え、第２微小間隙部５７は、内側肩部６１の外周面によって形成された内側環状壁面５５と、ベースキャップ部１４の天井部１４ａの内側面から下方に突出して設けられた環状リブ６３の下端内周面によって形成された外側環状壁面５６とにより構成される。
【００２１】
本実施形態では、内側肩部６１による内側環状壁面５５と環状リブ６３による外側環状壁面５６は、例えばヘッド部１９の押圧方向Ｘと平行な例えば２ｍｍ以上の幅の円環状の壁面として設けられている。そして、内側環状壁面５５と外側環状壁面５６とが対向する対向面の間隙である第２微小間隙部５７は、水を通過させない微小な幅ｓ’で形成され、幅ｓ’は複数製造品の平均が４００μｍであって、好ましくは２００〜６００μｍ程度に形成される。さらに、ポンプフォーマー容器の製造後、使用前の初期の状態において、内側環状壁面５５と外側環状壁面５６との対向面の押圧方向Ｘの重なり幅ｂが１．５〜３ｍｍ、好ましくは２ｍｍ以上となるように設けられる。
【００２２】
そして、上述の構成を備える本実施形態の泡吐出器１０によれば、ポンプフォーマー容器が使用に供された後に、ヘッド部１９の押圧操作が繰り返し行われる等により、ヘッド部１９の押圧が解除された際にシリンダ部１７に対してエアピストン部材１６が戻りきらなくなった場合でも、ヘッド部１９の内部に水が浸入してシリンダ部１７におけるエアピストン部材１６の上方に相当量の水が滞留するのを効果的に回避することが可能になる。
【００２３】
すなわち、本実施形態によれば、内側環状壁面５２と外側環状壁面５３とによる第１微小間隙部５４は、ガイドステム２３の外周面とスカート状カバー２５の内周面との間の空間への入り口部分であるスカート状カバー２５の下端部分に、シリンダ部１７に対してエアピストン部材１５が初期の状態まで戻りきらなくなった場合でも、押圧方向Ｘにおける対向面の重なり幅を確保できる重なり幅ｂとして、例えば２ｍｍ以上の重なり幅ｂで設けられている。したがって、ヘッド部１９の押圧操作が繰り返された後も、水の通過を遮断する第１微小間隙部５４の形成を確実なものとすることが可能になり、ヘッド部１９の非押圧静止状態で、ヘッド部１９の内部に水が浸入するの防止して、シリンダ部１７におけるエアピストン部材１６の上方に相当量の水が滞留するのを効果的に回避することが可能になる。
【００２４】
また、本実施形態によれば、内側環状壁面５５と外側環状壁面５６とによる第２微小間隙部５７は、エアピストン部材１６の内側肩部６１に、シリンダ部１７に対してエアピストン部材１５が初期の状態まで戻りきらなくなった場合でも、押圧方向Ｘにおける対向面の重なり幅を確保できる重なり幅ｂとして、例えば２ｍｍ以上の重なり幅ｂで設けられている。したがって、ヘッド部１９の押圧操作が繰り返された後も、水の通過を遮断する第２微小間隙部５７の形成を確実なものとすることが可能になり、ヘッド部１９の非押圧静止状態で、ヘッド部１９の内部に万が一水が浸入した場合でも、シリンダ部１７におけるエアピストン部材１６の上方に相当量の水が滞留するのを効果的に回避することが可能になる。
【００２５】
本実施形態によれば、ガイドステム２３と中空パイプ２２との間の空間が狭く、特に、ガイドステム２３の内周に中空パイプの挿入方向に沿う複数の縦リブを形成してさらにこの空間を狭めた構成は、ガイドステム２３と中空パイプ２２との間の領域とこれに連続する第２微小間隙部５７に至る空間が狭く、ヘッド部１９の内部に万が一水が浸入した場合でも、ガイドステム２３の上端から中空パイプ２２との間の隙間に空間に浸入した水が入りにくくなる。そして、ヘッド部１９内部に浸入し、ガイドステム２３の上端より上方に保持された水は、次のヘッド部１９の押圧時に広がるスカート状カバー２５下端内側とガイドステム２３の外周との間の隙間から排出される。
【００２６】
そして、本実施形態によれば、シリンダ部１７におけるエアピストン部材１６の上方に相当量の水が滞留するのを回避することにより、空気室２４への水の浸入を防止するだけでなく、エアピストン部材１６の上面、特にエアピストン部材の外側肩部６２の外周側の凹部に水が滞留し、滞留した水に菌が発生することも防止できる。さらに、空気室２４の外周壁に形成された容器本体１１に流通する空気置換孔６５から、エアピストン部材１６の上面に滞留した水が浸入することも防止でき、例えば容器本体１１へのスムーズな空気置換が阻害されないようにすることが可能になる。
【００２７】
なお、本発明は上記実施形態に限定されることなく種々の変更が可能である。例えば、第１微小間隙部５４及び第２微小間隙部５７の双方を泡吐出器１０に設ける必要は必ずしもなく、いずれか一方のみを設けた場合でも、シリンダ部１７におけるエアピストン部材１６の上方に相当量の水が滞留しないようにする機能を十分に発揮させることができる。また、図４に示すように、エアピストン部材１６の肩部６１の縁部から上方に突出する凸壁６４を設けて、環状リブ６３との間に所望の重なり幅ｂが得られるようにしたり、環状リブ６３の下方への突出長さを短くすることもできる。
【図面の簡単な説明】
【００２８】
【図１】本発明の好ましい一実施形態に係る泡吐出器を容器本体の口首部に装着した状態を示す断面図である。
【図２】本発明の好ましい一実施形態に係る泡吐出器の図１のＡ部に設けた第１非押圧時防水機構の構成を説明する部分断面図である。
【図３】本発明の好ましい一実施形態に係る泡吐出器の図１のＢ部に設けた第２非押圧時防水機構の構成を説明する部分断面図である。
【図４】第２非押圧時防水機構の他の形態を例示する部分断面図である。
【符号の説明】
【００２９】
１０  泡吐出器
１１  容器本体
１２  容器本体の口首部
１３  混合室
１４  ベースキャップ部
１４ａ  ベースキャップ部の天井部
１５  ピストン部材
１６  エアピストン部材
１７  シリンダ部
１８  ポンプ
１９  ヘッド部
２０  泡生成部材
２１  発泡流路
２２  中空パイプ
２３  ガイドステム
２４  空気室
２６  吐出口
２８  液導入室
２９  スプリング部材
５０  嵌合凹部
５１  嵌合環状凸リブ
５２，５５  内側環状壁面
５３，５６  外側環状壁面
５４  第１微小間隙部
５７  第２微小間隙部
５８，６０  環状凸リブ
５９  嵌め込みリング
６１  ピストン部材の内側肩部
６３  環状リブ
６４  凸壁
ｂ，ｂ’  押圧方向の重なり幅
ｓ，ｓ’  水を通過させない微小幅の隙間
Ｘ    押圧方向
【図１】
0005236906.tif 000002
【図２】
0005236906.tif 000003
【図３】
0005236906.tif 000004
【図４】
0005236906.tif 000005